(57)【要約】【課題】火花ギャップの領域でプラズマの最適な発生に必要とされる形で電磁パラメータが既知でないことに起因した従来技術の問題を解決する。【解決手段】共通のハウジング（１２）内に長手方向軸に沿って区分されて配置される長手方向軸及びジェネレータセクション（１４）、インダクタンスセクション（１６）、キャパシタンスセクション（１８）及び点火セクション（２０）を有する共振器アセンブリ（１０）は、ハウジング（１２）が全てのセクション（１４、１６、１８、２０）を取り囲み、点火セクション（２０）の領域に開口部（２２）を有しており、ハウジング（１２）が導電材料で作られる、又は、少なくとも１つの導電面を有しており、インダクタンスセクション（１６）及びキャパシタンスセクション（１８）からなる電気的な直列回路が、電気的に発振可能な双極子を構成し、この双極子に対してハウジング（１２）が戻り導体として作用する。【選択図】図１
2009115093.tif 000002
【特許請求の範囲】
【請求項１】
長手方向軸、並びに前記長手方向軸に沿って共通のハウジング（１２）内で区分されて配置されるジェネレータセクション（１４）、インダクタンスセクション（１６）、キャパシタンスセクション（１８）及び点火セクション（２０）を有する共振器アセンブリ（１０）であって、
前記ハウジング（１２）が全ての前記セクション（１４、１６、１８、２０）を取り囲み、前記点火セクション（２０）の領域に開口部（２２）を有しており、
前記ハウジング（１２）が導電材料で作られる、又は、少なくとも１つの導電面を有しており、
インダクタンスセクション（１６）及びキャパシタンスセクション（１８）を含む電気的な直列回路が、電気的に発振可能な双極子を構成し、前記双極子に対して前記ハウジング（１２）が戻り導体として作用する、共振器アセンブリ（１０）。
【請求項２】
前記ジェネレータセクション（１４）、前記インダクタンスセクション（１６）、前記キャパシタンスセクション（１８）及び前記点火セクション（２０）が、前記長手方向軸に沿って重なり合うことなく連続して配置される、請求項１に記載の共振器アセンブリ（１０）。
【請求項３】
前記キャパシタンスセクション（１８）が、前記ハウジング（１２）の一部分をなす金属円筒として設計され、前記金属円筒の内面がキャパシタンスとして作用し、前記金属円筒の外面が前記戻り導体の一部として作用する、請求項２に記載の共振器アセンブリ（１０）。
【請求項４】
前記金属円筒の自由端が、点火セクション（２０）として機能する、請求項３に記載の共振器アセンブリ（１０）。
【請求項５】
前記インダクタンスセクション（１６）は、円筒壁上で全て同じ面内に配置された複数のコイル巻（２８）で、インダクタンス（２６）を取り囲み、前記インダクタンスは、前記共振器アセンブリ（１０）の作動中に前記インダクタンス（２６）内に形成された磁場が前記共振器アセンブリ（１０）の前記長手方向軸と同軸であるように配向される、請求項１から４の一項又は複数項に記載の共振器アセンブリ（１０）。
【請求項６】
前記ジェネレータセクション（１４）が、前記インダクタンスセクション及びキャパシタンスセクション（１６、１８）を励振させるように動作する電子システム（２４）と、前記ハウジング（１２）を通過する外部供給源用の接続部とを有する、請求項１から５の一項又は複数項に記載の共振器アセンブリ（１０）。
【請求項７】
前記ジェネレータセクション（１４）及びインダクタンスセクション（１６）、具体的には、ジェネレータセクション（１４）、インダクタンスセクション（１６）及びキャパシタンスセクション（１８）が、具体的には、ねじ、又は、前記ハウジング（１２）に形成されたプラグ接続部により、取り外し可能に互いに接続される、請求項１から６の一項又は複数項に記載の共振器アセンブリ（１０）。
【請求項８】
前記ジェネレータセクション（１４）及びインダクタンスセクション（１６）、具体的には、ジェネレータセクション（１４）、インダクタンスセクション（１６）及びキャパシタンスセクション（１８）が、一体物のハウジングセクション（１２）により互いに接続される、請求項１から６のいずれかに記載の共振器アセンブリ（１０）。
【請求項９】
前記ハウジング（１２）が、内燃エンジンのエンジンブロック内へ導入されるように設計され、前記エンジンブロック内に固定するための手段を有する、請求項７又は８に記載の共振器アセンブリ（１０）。
【請求項１０】
前記エンジンブロック内に固定するための前記手段が、前記ハウジング（１２）の一体部品である、請求項９に記載の共振器アセンブリ（１０）。
【発明の詳細な説明】
【技術分野】
【０００１】
本発明は、ガス混合物の燃焼のための点火エネルギーを発生するための共振器アセンブリに関する。
【背景技術】
【０００２】
本発明は、ガス混合物の燃焼のための点火エネルギーを発生するための共振器アセンブリであって、当技術分野で機能的要素として知られるように、ジェネレータセクションによって取り囲まれた発振回路内での適切な励振によって電圧を増大しようとする、ジェネレータセクションにおけるジェネレータと、ジェネレータセクションの後ろ側に機能的に設けられ、電磁的に結合され、この目的のために少なくとも１つのインダクタンスを有する他の発振回路を有する共振セクションと、点火セクションと、を有している共振器アセンブリに関する。
【０００３】
ジェネレータに結合された共振器において、電圧の極度上昇は、ジェネレータからエネルギーを連続供給すると、ジェネレータから共振器に供給される電圧の１００から２００倍の電圧を達成することができる作動中の上昇であり、他方、前のセクションでは、つまり、ジェネレータにおいては、印加された作動電圧の通常２から３倍の電圧増大を達成することができる。ジェネレータ及び共振器の発振回路、つまり、取り囲まれたインダクタンス及びキャパシタンスは、ここで、エネルギー蓄積デバイスとして機能し、前もって供給されたエネルギーは各インダクタンスの磁場に少なくとも一時的に蓄えられ、インダクタンスに割り当てられた、又は部品の仕様若しくは幾何形状によりインダクタンスに関連付けられたキャパシタンスにおける静電エネルギーに周期的に変換される。共振現象の極度上昇の場合、共振器の出力にて、特にハウジング又はハウジング要素の適切な幾何学的設計により、アーチング、つまり、内燃エンジンでは空気／燃料の混合物に点火するために当該技術分野で知られるように用いられるプラズマ形成がある。
【０００４】
この種の共振器アセンブリが当技術分野で知られ、例えば、ドイツ公開特許第１０２００６０３７２４６号、ドイツ公開特許１０２００５０３７４２０号、及び、欧州特許第６６２６２６号にて言及されている。共振器アセンブリは、ここで、エネルギー蓄積デバイスとして機能し、前もって供給されたエネルギーは共振器アセンブリの磁場に少なくとも一時的に蓄えられ、共振器アセンブリに関連したキャパシタンスの静電エネルギーに周期的に変換される。共振器アセンブリは、ジェネレータ及びそのジェネレータの後ろ側に設けられる共振器を有し、ジェネレータ及び共振器の両方は、各々、発振回路、つまり、インダクタンスに結合されたキャパシタンスを備えている。ジェネレータ側の発振回路の励振においては、電圧増大が、当技術分野で知られるように、ジェネレータにて生じ、例えば印加された作動電圧の２又は３倍が達成される。
【０００５】
現況技術で知られている共振器アセンブリの欠点は、とりわけ、火花ギャップの領域におけるプラズマの最適な発生に必要とされる形で、電磁パラメータが既知でないという点にある。例えば、前述したドイツ特許第１０２００５０３７４２０号による解決法を用いた場合、共振器アセンブリの磁場の空間的制限はなく、その結果、これは、その上、周囲に置かれた構成要素によって影響される。ドイツ公開特許第１０２００６０３７２４６号に記載された共振器アセンブリを用いた場合、欠点は、また、ジェネレータの接続によって、ジェネレータのインダクタンスとキャパシタンスとの間のポイントが、アース電位に保持され、それにより、所望の共振周波数が、外部の磁性材料により望ましくない形で影響される。というのは、その磁場が空間的に制限されないからである。更に、共振器アセンブリに空間的に近接して配置される物品に対する影響、例えば加熱がある可能性がある。最後に、公知の解決法もまた、高電圧上昇に対する保護をおろそかにしているようであり、あるいは、例えば、キャップ、スリーブなどの外部手段によって、できるだけの保護の実現が試みられている。欧州特許第６６２６２６号では、インダクタンスセクション及びキャパシタンスセクションのみが、ハウジングやケーシングで保護されている。
【特許文献１】ドイツ公開特許第１０２００６０３７２４６号
【特許文献２】ドイツ公開特許１０２００５０３７４２０号
【特許文献３】欧州特許第６６２６２６号
【発明の開示】
【発明が解決しようとする課題】
【０００６】
したがって、本発明の目的は、前述した種類の共振器アセンブリであって、上記で概略説明されたような欠点が回避される、あるいは、それらの影響に関して、少なくとも軽減される共振器アセンブリを提供することからなる。
【課題を解決するための手段】
【０００７】
この目的は、請求項１の特徴を有する本発明により実現される。このために、前述した種類の共振器アセンブリ、つまり、ジェネレータ、インダクタンス及びキャパシタンスを備えた共振器アセンブリにおいて、ジェネレータセクション、インダクタンスセクション、キャパシタンスセクション及び点火セクションが形成されるように、これらの素子が共振器アセンブリの長手方向軸に沿って共通のハウジング内に区分されて互いに続くようにされている。この場合、ハウジングは、前述したセクションを全て取り囲み、また、生成するプラズマが空気／燃料の混合物に接触し得るように、点火セクションの領域において開口部を有する。ハウジングは、導電材料で作られる、又は、少なくとも１つの導電面を有する。インダクタンスセクション及びキャパシタンスセクションからなる電気的な直列回路が、電気的に発振可能な双極子を構成し、その双極子に対してハウジングが戻り導体として作用する。
【０００８】
本発明の利点は、まず、ジェネレータセクション、インダクタンスセクション、キャパシタンスセクション、及び、点火セクションの区分式の連続体により実現され得る形状、すなわち、内燃エンジンのエンジンブロック内への簡単な導入を可能とする実質的に細長い、円筒形の形状にある。結果としてもたらされる共振器アセンブリの全長もまた、点火セクションの領域における開口部が、共振器アセンブリが組み立てられた状態にあるときに、この目的のために設けられたエンジンの燃焼室の一部分に配置されるように、有用である。前述したセクションが全て共通のハウジング内に配置されるということが、作動中に生じる磁場に関するシールドをもたらし、周囲の機能的ユニット及び組立物が影響されることを防止する。しかし、なお、共振器アセンブリの機能的ユニットは、外側からのいかなる影響に対しても保護される。この目的のために、ハウジングは、導体材料で作られる、又は、少なくとも１つの導電面を有する。ハウジングが、インダクタンスセクション及びキャパシタンスセクションからなる電気的直列回路により構成される発振可能な双極子に対して戻り導体として機能するため、別個の戻り導体の必要が解消される。
【０００９】
本発明の有利な実施形態は、従属請求項の対象である。ここで用いられる後方参照は、各従属の請求項の特徴により、メインの請求項の対象の更なる改良を示しており、それらは、後方参照がなされる従属請求項の特徴の組合せに関して、独立の対象の保護を得ることなしに済まされることとして意味されるものでない。
【００１０】
更に、後の請求項における特徴のより詳細な仕様を備えた請求項の解釈に関して、それより前の請求項においてはいかなる制限もないと考えられるべきである。
【００１１】
ジェネレータセクション、インダクタンスセクション及びキャパシタンスセクションの電気的に作動する構成要素間における相互の影響は、これらの領域が長手方向軸に沿って重なり合うことなく連続して配置される場合、回避され得る、又は少なくとも軽減され得る。このことは、第一に、共振器アセンブリを形成するために、例えばボルト締結、ラッチングなどにより、各セクションが、その、又は各隣接したセクションと、区分式に組み合わせられ得るように、共振器アセンブリの機械的な構造を簡単にする。第二に、共振器アセンブリの作用が、対応する電気的な構成要素を備えた理想の共振器アセンブリに近づくように、例えば結果としてもたらされる電磁場間の相互作用による望ましくない相互の影響が軽減される。また、このことは、一方でのジェネレータにおける電圧増大及び他方での共振器における電圧の極度増大を達成するための最良の制御を可能とする数学的モデリングにより十分な精度で理解され得る。
【００１２】
キャパシタンスセクションは、好ましくは、ハウジングの一部分を形成する金属円筒として設計され、ハウジングの内面は電極として作用し、ハウジングの外面は戻り導体の一部として作用する。これにより、ハウジングのこのセクションが、機械的及び電磁気的な保護機能の両方を果たす、つまり、共振器の発振回路のキャパシタンスとして機能し、また、最後に、全体として、共振器アセンブリ用の戻り導体として機能する。かかる金属円筒の自由端は、点火セクションとして機能し、これにより、共振現象の場合には、プラズマが、この自由端の範囲で、具体的にはこの自由端のエッジ領域に直接的に生成する。
【００１３】
好ましくは、複数のコイル巻を備えたインダクタンスセクションにより取り囲まれたインダクタンスが、共振器アセンブリの作動中にインダクタンス内に形成される磁場が、共振器アセンブリの長手方向軸と同軸であるように配向される。このため、コイル巻は、（仮想の）円筒壁上で全て同じ面内に配置される。共振器アセンブリの設計に関して、インダクタンスにより、実質的にその長さが決まり、直径、つまり幅、また周囲の被覆の輪郭の奥行きは、全長と比較して小さいままである。これにより、全体としての共振器アセンブリは、エンジンブロック内への導入をより簡単にする管状の輪郭をなし、加えて、組立て時にエンジンブロック内に配置されたセクションは、エンジンブロックにより保護される。ジェネレータセクションは、インダクタンスセクション及びキャパシタンスセクションを励振させるように動作する電子システムと、ハウジングを通過する外部供給源用の接続部を有する。電子システムもまたハウジングにより電磁的に且つ機械的に保護される。それにより、共振器アセンブリにより取り囲まれた発振回路が励振させられたときに、電子システムの機能が、外部磁場により影響されない。さもなければ、外部磁場は、これらの回路を妨害する影響を与えるであろう。電子システムに対する外部供給源用の接続部がハウジングを通過させられた場合、電子システムに対する外部供給源用に必要であるハウジングにおける開口部が、最小限に制限される。
【００１４】
共振器アセンブリにより取り囲まれた機能的セクション、つまり、ジェネレータセクション、インダクタンスセクション、及び／又は、キャパシタンスセクションは、具体的には、ねじ、又は、ハウジング内に形成されたプラグ接続部により、互いに取り外し可能に接続され得る。代替的に、個々の機能的セクション又はそれらの全てが、一体物のハウジングにより、又は、２つの機能的セクションが一体物のハウジング内に組み合わせられる場合には、対応するハウジングセクションにより、互いに接続されることも想定され得る。取り外し可能に互いに接続される機能的セクションを備えた第一の代替物は、製造の容易化を可能とする利点を有し、また、故障時には、個々の機能的セクションが迅速に交換可能である。一体物のハウジング又は少なくとも２つの機能的セクションを取り囲む一体物のハウジングセクションを備えた第二の代替物は、全体のアセンブリの電磁的特性が、全体として、理論的により良好に決定され得るように、また、かかる一連の共振器アセンブリの全体に関する理論的に決定された値が、必要な機能的ユニット又は共振器アセンブリを厳密に組み立てるために、個々の調整なしに、計算され得るように、又は、そのようなものが、不可避である最小値まで少なくとも減少させられるように、接点が回避されるという利点を有する。また、例えば作動中にねじ又はプラグ接続部が緩んだ場合に生じ得る、作動中の電気的又は電磁的な特性の可能性のある変化が防止されることが可能であり、それにより、付加的なオーム抵抗が、戻り導体用に形成される。あるいは、キャパシタンスセクションの電極の作業面が変化し、また、この点について、それにより影響される発振回路の共振特性が変化し、最小限の変化の場合でさえ、もはや最適に励振されない共振器がもたらされ得る。それにより、所望の電圧の極度増大が不足する又は計画されたものよりも低くなる。
【００１５】
共振器アセンブリのハウジングは、内燃エンジンのエンジンブロック内への導入のために設計される。したがって、その外形は、この用途に適合される、すなわち、共振器アセンブリは、例えば点火セクションに関する限り連続的に又は非連続的にテーパ付けされている。非連続的なテーパの場合には、エンジンブロック内への簡単な導入のための性質を実現するために、かかる非連続的な移行の領域におけるハウジングの外面は、少なくともエッジがないままである、すなわち、より大きな直径からより小さな直径への移行は、対応する傾斜によりもたらされるようになっている。ハウジングは、その外面において、例えば、例えば点火セクションからそむいた領域においてのみ配置されたガイドウェブなどの、ガイド要素を有することができ、それにより、ジェネレータセクションの電子システムの端子が最適にアクセス可能であることにより、共振器アセンブリが強制的に調整される。加えて、エンジンブロック内で共振器アセンブリを固定する手段が、例えばバイオネット締結の方法の後に設定され得る。かかる手段は、強制的な調整のために、また、エンジンブロック内における固定のために、同時に作用する。
【００１６】
好ましくは、エンジンブロック内に固定する手段が、ハウジングの一体部分であり、それにより、別個の固定手段を使用可能な状態に保つ必要がなくなり、そのため、部品点数が減らされるのみならず、アセンブリの容量も最適化される。
【００１７】
以下、本発明の実施例が図面を用いて詳細に説明される。互いに対応する対象物又は要素には、全ての図において同じ参照番号が付される。
【００１８】
上記の、又は各実施例は、本発明を限定するものとして意味されるものでない。それよりむしろ、本発明の開示の範囲内において、様々な改良及び変形が可能である。具体的には、専門家が、例えば、明細書の全体又は特定部分に記載され、また、特許請求の範囲及び／又は目的を達成するための図を備えた図面に含まれる個々の特徴若しくは要素又は方法のステップを組み合わせる又は変更することにより推察し得るそれらの変形物、要素及び組合せ物は、組み合わせられ得る特徴により、新たな対象物、又は、新たな方法のステップ若しくは連続したステップに至るものである。
【発明を実施するための最良の形態】
【００１９】
図１は、全体として符号１０が付された、本発明による模式的に簡略化された共振器アセンブリを示している。この共振器アセンブリ１０は、共通のハウジング１２内に、長手方向軸に沿って区分されて配置された機能的セクション、すなわち、ジェネレータセクション１４、インダクタンスセクション１６、キャパシタンスセクション１８、及び、点火セクション２０とを有している。ハウジング１２は、前述した全ての機能的セクションを取り囲み、点火セクション２０の領域における開口部２２を有している。ハウジング１２は、導体材料で作られる、又は、少なくとも１つの導電面を有する。
【００２０】
ジェネレータセクション１４は、当技術分野で知られるように、模式的にのみ示される電子システム２４を有しており、電子システムは、インダクタンスセクション１６及びキャパシタンスセクション１８を励振させるように動作し、作動中に電圧の極度上昇を生じる。このため、電子システム２４は、インダクタンスセクション１６に電磁的に結合されるそれ自体の発振回路を有している。電子システム２４の発振回路と、インダクタンスセクション１６及びキャパシタンスセクション１８からなる電気的に作動する構成要素で構成される発振回路とは、共振現象の場合に、ジェネレータ発振回路において起こる電圧増大が、後の発振回路へ供給され、また、共振現象の場合に、意図的な電圧の極度上昇へ、そして、最終的には点火セクション２０の領域におけるプラズマの生成に至るように、互いに調整されている。
【００２１】
インダクタンスセクション１６は、（仮想の）円筒壁上で全て同じ面内に配置される複数のコイル巻２８を有するインダクタンス２６を有している。インダクタンス２６は、共振器アセンブリ１０の作動中にインダクタンス２６内で形成される磁場が共振器アセンブリ１０の長手方向軸と同軸であるように配向される。インダクタンスセクション１６、つまり、包み込まれたインダクタンス２６と、キャパシタンスセクション１８とからなる電気的な直列回路は、発振可能な双極子、ハウジング１２が戻り導体として機能する前述した「第２の」発振回路を形成する。
【００２２】
図１における模式的に簡略化された図では、ジェネレータセクション１４、インダクタンスセクション１６、キャパシタンスセクション１８及び点火セクション２０が、共振器アセンブリ１０の長手方向軸に沿って重なり合うことなく連続して配置されていることが見てとれる。キャパシタンスセクション１８は、ここでは、ハウジング１２の一部分をなす金属円筒として設計され、金属円筒の内面は、キャパシタンスセクション１８に与えられたキャパシタンスの電極として作用し、その外面は、戻り導体の一部として作用する。キャパシタンスセクション１８をなす金属円筒内には、導体が通過させられ、その自由端が点火セクション２２内に伸び、また、金属円筒の領域においてキャパシタンスの他方の電極を形成する。
【００２３】
図２は、共振器アセンブリ１０の一実施形態を斜視的に示している。示される略図では、左から右へ見ると、まず、ジェネレータセクション１４、次に、インダクタンスセクション１６、これに続いて、キャパシタンスセクション１８があり、点火セクション２０及び図２では示されていない開口部２２で終わる。
【００２４】
図２の略図は、共振器アセンブリが、ジェネレータセクション１４から点火セクション２０へ先細になっていることを示し、その結果、共振器アセンブリは、この目的のために与えられた開口部２２内に内燃エンジン（両方とも不図示）にて導入され得る。共振器アセンブリ１０は、全ての機能的セクション１４−２０を取り囲むハウジング１２の外側において、取付け時の調整のために、エンジン内の穴における対応した対の他方の輪郭と連携して、共振器アセンブリ１０の回転を防止する、及び／又は、強制的に配向させる作業面３０、制止手段などを有することができる。
【００２５】
ジェネレータセクションの領域において、ねじ継ぎ手３１が示されており、このねじ継ぎ手には、電子システム２４（図１参照）への外部供給源用に、接続部が通され得る。
【００２６】
図３は、図１又は図２におけるような共振器アセンブリを示し、部分的に断面が示された図で、インダクタンスセクション１６の領域において、そこに配置されたインダクタンス２６により取り囲まれたコイル巻２８が、（仮想の）円筒壁上で全て同じ面内に配置され、図３に示される実施形態において、コイル巻２８を帯びる中空の芯３２が、この目的のために設けられることが分かる。芯３２及びそれを取り巻くコイル巻２８には、インダクタンスセクション１６におけるハウジング１２の内径に対して調整された外径を有する絶縁体３４が隣接する。絶縁体２８と、関係したハウジングセクション１２の内径との、このような確動係合式の調整は、その上に設けられたコイル巻２８を備えた芯３２が、絶縁体３４として作用する硬化シール媒体を備えたハウジング１２内に固定されることからもたらされ得る。
【００２７】
最後に、図３では、図の右上方の隅において、ジェネレータセクション１４の一部が見てとれ、他方、インダクタンスセクション１６の反対側の端部においては、キャパシタンスセクション１８の一部も見てとれる。基本的には、ジェネレータセクション１４、インダクタンスセクション１６、及び／又は、キャパシタンスセクション１８を含む一体物のハウジング１２が共振器アセンブリ１０用に設けられる一方、図３の図では、ハウジング１２がセクションにおいてのみ一体式であり、また、１つの機能的要素から隣接した機能的要素への移行部分で、対応するハウジングセクションが隣接したハウジングセクションに接続される。その接続部は、取り外し可能であっても、又は、取り外し不可能であってもよい。取り外し不可能な接続部としては、溶接継ぎ手又ははんだ継ぎ手が可能である。取り外し可能な接続部としては、ねじ、又は、プラグ接続部、例えば、バイオネット締結の原理に基づいたプラグ接続部が可能である。
【００２８】
したがって、要約すると、本発明は、以下のように、簡潔に提示され得る。長手方向軸、及び、この長手方向軸に沿って共通のハウジング１２内に区分されて配置される機能的セクション１４−２０を備えた共振器アセンブリ１０が提供される。ハウジング１２は、機能的セクション１４−２０を全て取り囲み、機能的セクションのひとつ、点火セクション２０の領域において開口部２２を有する。ハウジング１２は、導体材料で作られる、又は、少なくとも１つの導電面を有する。また、インダクタンスセクション１６及びキャパシタンスセクション１８からなる電気的な直列回路が、発振可能な双極子を電気的に形成し、双極子に対してハウジング１２が戻り導体として作用する。その結果、電磁的に作動する素子及び共振器アセンブリ１０により取り囲まれる機能的ユニットが、外側から電磁場に対して保護され、共振器アセンブリ１０の作動中に生じる電磁場が、共振器アセンブリ１０に隣接して配置されたユニットや機能的要素に対して悪影響を与えることはない。
【図面の簡単な説明】
【００２９】
【図１】共振器アセンブリを示す図である。
【図２】共振器アセンブリの一実施形態の斜視図である。
【図３】共振器アセンブリの部分断面図である。
【符号の説明】
【００３０】
１０  共振器アセンブリ
１２  ハウジング
１４  ジェネレータセクション
１６  インダクタンスセクション
１８  キャパシタンスセクション
２０  点火セクション
２２  開口部
２４  電子システム
２６  インダクタンス
２８  コイル巻
３０  面
３１  ねじ継ぎ手
３２  中空の芯
３４  絶縁体
【図１】
2009115093.tif 000003
【図２】
2009115093.tif 000004
【図３】
2009115093.tif 000005